(57)【要約】【課題】同様の処理操作を連続的に行う場合に処理操作対象を選択する画面上において、次の処理操作対象候補を選択可能な位置にカーソルを自動的に移動させて、ユーザの操作の簡略化および処理の効率化を図る。【解決手段】いずれかの処理操作が所定時間内で連続的になされており、処理操作履歴およびカーソル移動履歴に基づいて、前回の処理操作終了後のカーソル移動操作と今回の処理操作終了後のカーソル移動操作が同一であると判別される場合に、カーソルを次回の処理操作の対象候補を選択可能な位置に移動させる。【選択図】図５
2008102572.tif 000002
【特許請求の範囲】
【請求項１】
ユーザに各種情報の入力を行わせるとともに、入力状態を表示する入力表示装置において、
処理操作履歴および前記処理操作の選択動作に伴うカーソル移動履歴を記憶する履歴記憶部と、
いずれかの処理操作が所定時間内で連続的になされており、前記処理操作履歴およびカーソル移動履歴に基づいて、前回の処理操作終了後のカーソル移動操作と今回の処理操作終了後のカーソル移動操作が同一であると判別される場合に、カーソルを次回の処理操作の対象候補を選択可能な位置に移動させるカーソル移動制御部と、
を備えたことを特徴とする入力表示装置。
【請求項２】
請求項１記載の入力表示装置において、
略碁盤の目状に前記カーソルの移動可能位置が配置されており、
前記カーソル移動制御部は、第１の移動方向に前記カーソルを移動し、前記カーソルの現在位置が一方の端部位置に至った場合に、前記次回の処理操作の対象候補を選択可能な位置として、前記第１の移動方向に対する他方の端部位置、かつ、前記第１の移動方向と交差する第２の方向に１ステップ移動させた位置と、することを特徴とする入力表示装置。
【請求項３】
請求項２記載の入力表示装置において、
前記カーソル移動制御部は、第１の移動方向に前記カーソルを移動し、前記カーソルの現在位置が一方の端部位置に至った場合に、いずれかの処理操作が継続的になされておらず、あるいは、前記処理操作履歴およびカーソル移動履歴に基づいて、前回の処理操作終了後のカーソル移動操作と今回の処理操作終了後のカーソル移動操作が異なると判別される場合に、前記次回の処理操作の対象候補を選択可能な位置として、前記カーソルを他方の端部位置に移動させることを特徴とする入力表示装置。
【請求項４】
請求項１ないし請求項３のいずれかに記載の入力表示装置において、
前記カーソル移動制御部は、前記入力操作履歴に基づいていずれかの処理操作が所定時間内で連続的になされているか否かを判別する連続処理判別部と、
前記カーソル移動履歴に基づいて、前回の処理操作終了後のカーソル移動操作と今回の処理操作終了後のカーソル移動操作が同一であるか否かを判別する移動操作同一性判別部と、
を備えたことを特徴とする入力表示装置。
【請求項５】
ユーザに各種情報の入力を行わせるとともに、入力状態を表示する入力表示装置の表示制御方法において、
処理操作履歴および前記処理操作の選択動作に伴うカーソル移動履歴を記憶する履歴記憶過程と、
いずれかの処理操作が所定時間内で連続的になされており、前記処理操作履歴およびカーソル移動履歴に基づいて、前回の処理操作終了後のカーソル移動操作と今回の処理操作終了後のカーソル移動操作が同一であると判別される場合に、カーソルを次回の処理操作の対象を選択可能な位置に移動させて表示するカーソル表示制御過程と、を備えたことを特徴とする表示制御方法。
【請求項６】
請求項５記載の表示制御方法において、
表示画面上で略碁盤の目状に前記カーソルの移動可能位置が配置されており、
前記カーソル移動制御部は、第１の移動方向に前記カーソルを移動し、前記カーソルの現在位置が一方の端部位置に至った場合に、前記次回の処理操作の対象を選択可能な位置として、前記第１の移動方向に対する他方の端部位置、かつ、前記第１の移動方向と直交する第２の方向に１ステップ移動させた位置と、することを特徴とする表示制御方法。
【請求項７】
ユーザに各種情報の入力を行わせるとともに、入力状態を表示する入力表示装置をコンピュータにより制御するための制御プログラムにおいて、
処理操作履歴および前記処理操作の選択動作に伴うカーソル移動履歴を記憶させ、
いずれかの処理操作が所定時間内で連続的になされており、前記処理操作履歴およびカーソル移動履歴に基づいて、前回の処理操作終了後のカーソル移動操作と今回の処理操作終了後のカーソル移動操作が同一であると判別される場合に、カーソルを次回の処理操作の対象を選択可能な位置に移動させて表示させる、
ことを特徴とする制御プログラム。
【請求項８】
請求項７記載の制御プログラムにおいて、
表示画面上で略碁盤の目状に前記カーソルの移動可能位置が配置されており、
第１の移動方向に前記カーソルを移動させて、前記カーソルの現在位置が一方の端部位置に至った場合に、前記次回の処理操作の対象を選択可能な位置として、前記第１の移動方向に対する他方の端部位置、かつ、前記第１の移動方向と直交する第２の方向に１ステップ移動させた位置と、させる、
ことを特徴とする制御プログラム。
【発明の詳細な説明】
【技術分野】
【０００１】
本発明は、入力表示装置、表示制御方法および制御プログラムに係り、特にカーソルによりデータ入力位置あるいは処理操作対象の選択を行う情報処理装置において、入力表示を行う入力表示装置、表示制御方法および制御プログラムに関する。
【背景技術】
【０００２】
冷凍設備機器を集中制御するコントローラは、多数の冷凍設備機器に対してそれぞれの運転に必要な設定値を一括設定して、各冷凍設備機器の運転制御を行うものである（例えば、特許文献１参照）。
このため、一般的なコントローラにおいては、各種情報を表示するための液晶ディスプレイで構成されたデータ表示部と、各種設定入力を行うためのキースイッチを有している。
ここで、表示画面上に碁盤の目の様に処理操作対象の表示を行う場合には、キースイッチとしては、少なくとも、「上」、「下」、「左」、「右」の４種類を有しており、このキースイッチの操作によって、表示画面上でカーソルを移動させることとなる。
そして、カーソルの表示位置に対応する処理操作対象に対して、他の操作キーにより表示項目の選択、選択解除あるいは表示内容の更新などを行うようにされている。
【特許文献１】特開平１−２９１０８５号公報
【発明の開示】
【発明が解決しようとする課題】
【０００３】
ところで、コントローラにおいて行う入力設定は種々存在するが、通し番号が割り振られた複数の冷凍設備機器に対して、通し番号順に同様の設定を繰り返し行うような状況も少なくはない。
このような状況で表示画面上に冷凍設備機器の通し番号が表示されている場合には、全ての冷凍設備機器の番号を一直線上に表示しているわけではないので、表示画面上で一方の端部（例えば、右端部）にカーソルが表示されている状況では、他方の端部（例えば、左端部）側にカーソルを移動させ、さらに移動方向とは直交する方向（例えば、上下方向）にカーソルを移動させて、次の番号の冷凍設備機器を選択する必要があり、手間が煩わしいという問題点があった。
【０００４】
そこで、本発明の目的は、同様の処理操作を連続的に行う場合に処理操作対象を選択する画面上において、次の処理操作対象候補を選択可能な位置にカーソルを自動的に移動させて、ユーザの操作の簡略化および処理の効率化を図ることが可能な入力表示装置、表示制御方法および制御プログラムを提供することにある。
【課題を解決するための手段】
【０００５】
上記課題を解決するため、 ユーザに各種情報の入力を行わせるとともに、入力状態を表示する入力表示装置において、処理操作履歴および前記処理操作の選択動作に伴うカーソル移動履歴を記憶する履歴記憶部と、いずれかの処理操作が所定時間内で連続的になされており、前記処理操作履歴およびカーソル移動履歴に基づいて、前回の処理操作終了後のカーソル移動操作と今回の処理操作終了後のカーソル移動操作が同一であると判別される場合に、カーソルを次回の処理操作の対象候補を選択可能な位置に移動させるカーソル移動制御部と、を備えたことを特徴としている。
【０００６】
上記構成によれば、履歴記憶部は、処理操作履歴および前記処理操作の選択動作に伴うカーソル移動履歴を記憶する。
カーソル移動制御部は、いずれかの処理操作が所定時間内で連続的になされており、前記処理操作履歴およびカーソル移動履歴に基づいて、前回の処理操作終了後のカーソル移動操作と今回の処理操作終了後のカーソル移動操作が同一であると判別される場合に、カーソルを次回の処理操作の対象候補を選択可能な位置に移動させる。
したがって、カーソル移動制御部は、カーソル移動履歴に基づいて、次にカーソルを移動させる位置をユーザにとって操作が簡略化され、処理を効率的に行えるような位置とするので、操作の簡略化と処理の効率化が図れる。
【０００７】
この場合において、略碁盤の目状に前記カーソルの移動可能位置が配置されており、
前記カーソル移動制御部は、第１の移動方向に前記カーソルを移動し、前記カーソルの現在位置が一方の端部位置に至った場合に、前記次回の処理操作の対象候補を選択可能な位置として、前記第１の移動方向に対する他方の端部位置、かつ、前記第１の移動方向と交差する第２の方向に１ステップ移動させた位置と、するようにしてもよい。
また、前記カーソル移動制御部は、第１の移動方向に前記カーソルを移動し、前記カーソルの現在位置が一方の端部位置に至った場合に、いずれかの処理操作が継続的になされておらず、あるいは、前記処理操作履歴およびカーソル移動履歴に基づいて、前回の処理操作終了後のカーソル移動操作と今回の処理操作終了後のカーソル移動操作が異なると判別される場合に、前記次回の処理操作の対象候補を選択可能な位置として、前記カーソルを他方の端部位置に移動させるようにしてもよい。
さらにまた、前記カーソル移動制御部は、前記入力操作履歴に基づいていずれかの処理操作が所定時間内で連続的になされているか否かを判別する連続処理判別部と、前記カーソル移動履歴に基づいて、前回の処理操作終了後のカーソル移動操作と今回の処理操作終了後のカーソル移動操作が同一であるか否かを判別する移動操作同一性判別部と、を備えるようにしてもよい。
【０００８】
また、 ユーザに各種情報の入力を行わせるとともに、入力状態を表示する入力表示装置の表示制御方法において、処理操作履歴および前記処理操作の選択動作に伴うカーソル移動履歴を記憶する履歴記憶過程と、いずれかの処理操作が所定時間内で連続的になされており、前記処理操作履歴およびカーソル移動履歴に基づいて、前回の処理操作終了後のカーソル移動操作と今回の処理操作終了後のカーソル移動操作が同一であると判別される場合に、カーソルを次回の処理操作の対象を選択可能な位置に移動させて表示するカーソル表示制御過程と、を備えたことを特徴としている。
この場合において、表示画面上で略碁盤の目状に前記カーソルの移動可能位置が配置されており、前記カーソル移動制御部は、第１の移動方向に前記カーソルを移動し、前記カーソルの現在位置が一方の端部位置に至った場合に、前記次回の処理操作の対象を選択可能な位置として、前記第１の移動方向に対する他方の端部位置、かつ、前記第１の移動方向と直交する第２の方向に１ステップ移動させた位置と、するようにしてもよい。
【０００９】
また、 ユーザに各種情報の入力を行わせるとともに、入力状態を表示する入力表示装置をコンピュータにより制御するための制御プログラムにおいて、処理操作履歴および前記処理操作の選択動作に伴うカーソル移動履歴を記憶させ、いずれかの処理操作が所定時間内で連続的になされており、前記処理操作履歴およびカーソル移動履歴に基づいて、前回の処理操作終了後のカーソル移動操作と今回の処理操作終了後のカーソル移動操作が同一であると判別される場合に、カーソルを次回の処理操作の対象を選択可能な位置に移動させて表示させる、ことを特徴としている。
この場合において、表示画面上で略碁盤の目状に前記カーソルの移動可能位置が配置されており、第１の移動方向に前記カーソルを移動させて、前記カーソルの現在位置が一方の端部位置に至った場合に、前記次回の処理操作の対象を選択可能な位置として、前記第１の移動方向に対する他方の端部位置、かつ、前記第１の移動方向と直交する第２の方向に１ステップ移動させた位置と、させるようにしてもよい。
【発明の効果】
【００１０】
本発明によれば、同様の処理操作を連続的に行う場合に処理操作対象を選択する画面上において、次の処理操作対象候補を選択可能な位置にカーソルを自動的に移動させるので、ユーザにおける操作の簡略化および処理の効率化を図ることができる。
【発明を実施するための最良の形態】
【００１１】
次に、本発明の好適な実施形態について、図面を参照して説明する。
図１は、実施形態の集中管理システム構成図である。
集中管理装置システム１は、パーソナルコンピュータとして構成される中央管理装置２と、マイクロコンピュータとして構成された主制御装置３と、各ショーケース等に設けられた端末側制御装置６と、を備えている。
【００１２】
図２は、中央管理装置の概要構成ブロック図である。
中央管理装置２は、店舗の警備室等に設けられ、当該中央管理装置２全体を制御するマイクロコンピュータ７と、このマイクロコンピュータ７に接続され、大記憶容量を有し、各種情報を記憶するハードディスク（外部記憶装置）８と、マイクロコンピュータ７に接続され、制御プログラムを記憶するＲＯＭ９と、マイクロコンピュータ７に接続され、各種データを一時的に記憶するＲＡＭ１１と、リムーバル記憶媒体であるフレキシブルディスク、光ディスクなどに対するデータの読み書きを行うディスクドライブ１２と、主制御装置３との間の通信を行う通信インタフェース部１３と、外部出力機器との間のインタフェース動作を行う出力インタフェース部１４と、外部入力機器との間のインタフェース動作を行う入力インタフェース部１６と、を備えている。
【００１３】
ここで、ハードディスク８には、中央管理装置２自体の制御プログラムの他、主制御装置３から送られてくる各種データや、後述するショーケースＳ等の設置形態（ケースレイアウト）に関するデータ、更には各種運転条件に関するデータ及び通信プロトコル等が保存されている。
通信インタフェース部１３は、例えば、シリアルインターフェースにより構成され、前述の主制御装置３と通信線１７を介して接続されている。
出力インタフェース部１４は、外部出力機器としてのプリンタ１８やディスプレイ１９が接続されている。
入力インタフェース部１６は、外部入力機器としてのキーボード２１やマウス２２が接続される。
【００１４】
図３は、主制御装置の概要構成ブロック図である。
主制御装置３も警備室等に設けられるものであり、図３に示すように、当該主制御装置３全体を制御するマイクロコンピュータ２４と、このマイクロコンピュータ２４に接続されたＲＯＭ２６およびＲＡＭ２７と、通信インタフェース部２８、２９、出力インタフェース部３１及び入力インタフェース部３２と、マイクロコンピュータ２４に接続されたＥＥＰＲＯＭ４０と、を備えて構成される。
ＲＯＭ２６には通信プロトコルや主制御装置３自体の制御プログラムを記憶している。
ＲＡＭ２７には、外部装置から送られてくる各種データや外部装置へ送る各種データ、主制御装置３自体の制御データ（例えば、後述する液晶表示部３４の表示データ等）が一時的に記憶される。
【００１５】
通信インタフェース部２８、２９は、例えば、シリアルインターフェースとして構成されている。ここで、通信インタフェース部２８は、中央管理装置２に通信線１７を介して接続され、通信インタフェース部２９は、端末側制御装置６と通信線３３を介して接続されている。さらに通信インタフェース部２９は、たとえば、６個の通信ポートを有しており、それによって最大６系統の端末側制御装置６が接続可能とされている。
出力インタフェース部３１には、液晶表示部３４と、リレー接点出力を有する外部警報出力部９９およびブザー３６が接続されている。
入力インタフェース部３２には、キースイッチ３７やディップスイッチ３８及びスライドスイッチ３９が接続されている。
キースイッチ３７は、後述する各種設定及び表示指令を行うためのスイッチである。
ディップスイッチ３８は、各種状態を設定するためのスイッチである。
また、スライドスイッチ３９は、後述するショーケースＳ等の照明制御や夜間停止に関する設定を行うスイッチである。
ＥＥＰＲＯＭ４０は、ショーケースＳ等の各種設定及び設置状態に関するデータが保存されて電源が断たれたときにも保持される。
【００１６】
図４は、主制御装置の外観図である。
主制御装置３は、箱状の本体４１と、この本体４１に設けられた液晶表示部３４と、キースイッチ３７を構成する選択／解除キー４２と、選択状態を確定するための確定キー４３と、カーソルの移動および各種設定値の入力を行うためのスクロールキー（カーソル移動キー）４４と、を備えている。
ここで、スクロールキー４４は、カーソルを上方向に移動させる上方向カーソル移動キー５１と、カーソルを右方向に移動させる右方向カーソル移動キー５２と、カーソルを下方向に移動させる下方向カーソル移動キー５３と、カーソルを左方向に移動させる左方向カーソル移動キー５４と、を備えている。
【００１７】
図５は、主制御装置のキー操作時の処理フローチャートである。
主制御装置３のマイクロコンピュータ２４は、キー操作がなされた場合、当該操作されたキーがカーソル移動キーであるか否かを判別する（ステップＳ１１）。
ステップＳ１１の判別において、操作されたキーがカーソル移動キー以外のキーである場合には（ステップＳ１１；Ｎｏ）、当該操作されたキーに対応する処理を行い（ステップＳ１２）、処理を図示しないメイン処理ルーチンに復帰する。
ステップＳ１１の判別において、操作されたキーがカーソル移動キーである場合には（ステップＳ１１；Ｙｅｓ）、現在のカーソル位置および現在時刻（キー操作時刻）を取得する（ステップＳ１３）。
次にマイクロコンピュータ２４は、カーソルの現在位置が当該カーソル移動方向端部位置であるか否かを判別する（ステップＳ１４）。
【００１８】
具体的には、カーソル移動キーがカーソルを右方向に移動する右方向カーソル移動キー５２である場合には、現在のカーソル位置が右方向端部位置であるか否かを判別し、カーソル移動キーがカーソルを下方向に移動する下方向カーソル移動キー５３である場合には、現在のカーソル位置が下方向端部位置であるか否かを判別することとなる。
ステップＳ１４の判別において、マイクロコンピュータ２４は、カーソルの現在位置が当該カーソル移動方向端部位置ではない場合には（ステップＳ１３；Ｎｏ）、当該カーソル移動キーの移動方向にカーソルを移動させ（ステップＳ１８）、処理を図示しないメイン処理ルーチンに復帰する。
ステップＳ１４の判別において、現在のカーソル位置が当該カーソル移動方向端部位置である場合には（ステップＳ１４；Ｙｅｓ）、現在の処理対象選択画面と同一の処理対象選択画面における前回の処理対象選択動作から所定時間以上経過しているか否かを判別する（ステップＳ１５）。すなわち、現在行っている操作がユーザが行おうとしている一連の設定処理に含まれるものであるか否かを判別している。
【００１９】
ステップＳ１５の判別において、現在の処理対象選択画面と同一の処理対象選択画面における前回の処理対象選択動作から所定時間以上経過していない場合には（ステップＳ；Ｎｏ）、当該操作は、ユーザが行おうとしている一連の設定処理に含まれると推定して、カーソルを次の処理対象候補にあわせるべく、カーソルを移動方向とは逆方向の端部位置、かつ、移動方向とは交差する方向であって、次の処理対象候補がある方向にカーソルを移動し（ステップＳ１７）、処理を図示しないメイン処理ルーチンに移行する。
ここで、「カーソルを移動方向とは逆方向の端部位置、かつ、移動方向とは交差する方向であって、次の処理対象候補がある方向にカーソルを移動する」処理について具体的に説明する。
【００２０】
この場合に処理対象候補が碁盤の目状に配置されているとすると、例えば、カーソル移動キーがカーソルを右方向に移動する右方向カーソル移動キー５２である場合には、カーソルを左方向端部位置に移動し、かつ、移動方向である右方向とは交差する方向、すなわち、上下方向であって次の処理対象候補がある方向にカーソルを移動することとなる。より詳細には、上側から下側に向かって処理を行っている場合には、右方向端部に至った時点で、下の行にカーソルを移動することとなる。
ステップＳ１５の判別において、現在の処理対象選択画面と同一の処理対象選択画面における前回の処理対象選択動作から所定時間以上経過している場合には（ステップＳ１５；Ｙｅｓ）、当該操作は、ユーザが行おうとしている一連の設定処理に含まれないと推定して、カーソルを移動方向とは逆方向の端部位置に移動させて（ステップＳ１６）、処理を図示しないメイン処理ルーチンに移行する。
これにより、例えば、カーソル移動キーがカーソルを右方向に移動する右方向カーソル移動キー５２である場合には、カーソルを左方向端部位置に移動することとなる。
【００２１】
図６は、具体的な動作説明図である。
次により具体的な動作を説明する。以下においては、機器Ａ０３、Ａ０７、Ａ０８、Ａ１１、Ａ１２、Ａ１４、Ａ１８、Ａ２０に対して同一の設定を行う場合について説明する。
初期状態において、機器Ａ０１にカーソルが存在したとすると、右方向カーソル移動キー５２を２回押し下げ、カーソルが機器Ａ０３に移動した時点で、選択／解除キー４２を押し下げる。この結果、機器Ａ０３は、選択状態（図６では、太線枠および斜線で示す。以下同じ。）となる。
【００２２】
さらに右方向カーソル移動キー５２を３回押し下げると、カーソルは機器Ａ０４、機器Ａ０５と移動し、前回の選択／解除キー４２押し下げ動作（処理対象選択動作）から所定時間以上経過していないので、カーソルを左方向端部位置、かつ、移動方向である右方向とは交差する方向であって次の処理対象候補がある方向である下方向に移動し、カーソルは機器Ａ０６に移動する。
そして、右方向カーソル移動キー５２を１回押し下げ、カーソルが機器Ａ０７に移動した時点で、選択／解除キー４２を押し下げると、機器Ａ０７も、選択状態となる。
することとなる。
さらに、右方向カーソル移動キー５２を１回押し下げ、カーソルが機器Ａ０８に移動した時点で、選択／解除キー４２を押し下げると、機器Ａ０８も、選択状態となる。
【００２３】
続いて、右方向カーソル移動キー５２を３回押し下げると、カーソルは機器Ａ０９、機器Ａ１０と移動し、前回の選択／解除キー４２押し下げ動作（処理対象選択動作）から所定時間以上経過していないので、カーソルを左方向端部位置、かつ、移動方向である右方向とは交差する方向であって次の処理対象候補がある方向である下方向に移動し、カーソルは機器Ａ１１に移動する。
ここで、選択／解除キー４２を押し下げると、機器Ａ１１も、選択状態となる。
続いて、右方向カーソル移動キー５２を１回押し下げ、カーソルが機器Ａ１２に移動した時点で、選択／解除キー４２を押し下げると、機器Ａ１２も、選択状態となる。さらに、右方向カーソル移動キー５２を２回押し下げ、カーソルが機器Ａ１４に移動した時点で、選択／解除キー４２を押し下げると、機器Ａ１４も、選択状態となる。
【００２４】
続いて、右方向カーソル移動キー５２を４回押し下げると、カーソルは機器Ａ１５へ移動し、その時点で、前回の選択／解除キー４２押し下げ動作（処理対象選択動作）から所定時間以上経過していないので、カーソルを左方向端部位置、かつ、移動方向である右方向とは交差する方向であって次の処理対象候補がある方向である下方向に移動し、カーソルは機器Ａ１６に移動し、さらに右方向に移動して機器Ａ１８に至る。この時点で選択／解除キー４２を押し下げると、機器Ａ１８も、選択状態となる。
そして、右方向カーソル移動キー５２を２回押し下げ、カーソルが機器Ａ２０に移動した時点で、選択／解除キー４２４３を押し下げると、機器Ａ２０も、選択状態（図では、太線枠および斜線で示す）となる。
これらの結果、機器Ａ０３、機器Ａ０７、機器Ａ０８、機器Ａ１１、機器Ａ１２、機器Ａ１４、機器Ａ１８、機器Ａ２０が選択状態であるので、この確定キー４３を操作して選択を確定し、所望の設定を行うことにより、一括して設定を行うことができる。
【００２５】
以上の説明は、一括設定における処理対象選択動作を例として説明したが、個別設定における処理対象選択動作についても同様に考えることができる。
図７は、個別設定における処理対象選択動作の説明図である。
図７は、定休日の設定画面であり、カーソルが位置Ｐ４７にある状態で、選択／解除キー４２を押し下げると、対応する曜日表示「土」が反転表示となり、定休日として取り扱うように選択された状態となる。この状態で確定キー４３を押し下げることにより、これ以降定休日を解除するまで、第４週の土曜日は定休日として扱われることとなる。
さらに確定キー４３を操作してから所定時間内に、右方向カーソル移動キー５２を操作すると、図５に示したような処理により、次の設定候補である位置Ｐ51にカーソルが移動することとなる。
【００２６】
また、確定キー４３を操作してから所定時間を超えた段階で、右方向カーソル移動キー５２を操作すると、図５に示したような処理により、次の設定候補である位置Ｐ４１にカーソルが移動することとなる。
以上の説明のように、本実施形態によれば、同一のカーソル移動キーの操作であっても、ユーザが本来望んでいるであろう複数の処理操作の対象候補の中から、最適と思われる処理操作の対象候補の位置にカーソルを移動させるので、設定処理などにおけるカーソル移動操作の手間を削減して、効率よく設定処理等を行うことが可能となる。
【図面の簡単な説明】
【００２７】
【図１】実施形態の集中管理システム構成図である。
【図２】中央管理装置の概要構成ブロック図である。
【図３】主制御装置の概要構成ブロック図である。
【図４】主制御装置の外観図である。
【図５】主制御装置のキー操作時の処理フローチャートである。
【図６】具体的な動作説明図である。
【図７】個別設定における処理対象選択動作の説明図である。
【符号の説明】
【００２８】
１…集中管理装置システム、２…中央管理装置、３…主制御装置、６…端末側制御装置、７…マイクロコンピュータ、８…ハードディスク、９…ＲＯＭ、１１…ＲＡＭ、１２…ディスクドライブ、１３…通信インタフェース部、１４…出力インタフェース部、１６…入力インタフェース部、１７…通信線、１８…プリンタ、１９…ディスプレイ、２１…キーボード、２２…マウス、２４…マイクロコンピュータ、２６…ＲＯＭ、２７…ＲＡＭ、２８…通信インタフェース部、２９…通信インタフェース部、３１…出力インタフェース部、３２…入力インタフェース部、３３…通信線、３４…液晶表示部、３６…ブザー、３７…キースイッチ、３８…ディップスイッチ、３９…スライドスイッチ、４０…ＥＥＰＲＯＭ、４１…本体、４２…選択／解除キー、４３…確定キー、４４…スクロールキー、５１…上方向カーソル移動キー、５２…右方向カーソル移動キー、５３…下方向カーソル移動キー、５４…左方向カーソル移動キー、９９…外部警報出力部、Ｓ…ショーケース。
【図１】
2008102572.tif 000003
【図２】
2008102572.tif 000004
【図３】
2008102572.tif 000005
【図４】
2008102572.tif 000006
【図５】
2008102572.tif 000007
【図６】
2008102572.tif 000008
【図７】
2008102572.tif 000009